(57)【要約】【課題】使い捨て可能で適度な耐久性のある厚紙製中敷きであって、マイナスイオン発生のものの要望。【解決手段】接着手段２が柔軟性のある靴の厚紙製中敷き本体１に使用され、サンゴ粒状物３が上記の接着手段２に接着されたものである。なお、このサンゴ粒状物３に代えて、サンゴ粉末を使用してもよい。しかして、この接着手段２は、そのサンゴ粒状物をその厚紙製中敷き本体１に接着させるのみでなく、その厚紙製中敷き本体１の補強をもしている。その観点からこの接着手段として、両面テープを用いた。しかして、以上のほかに、図３のごときの柔軟性のある靴の厚紙製中敷きカバー４を用いてもよい。【選択図】　図１
2004121465.tif 000002
【特許請求の範囲】
【請求項１】
柔軟性のある靴の厚紙製中敷き本体、該柔軟性のある靴の厚紙製中敷き本体の一面全体に使用された接着剤などの接着手段、該接着剤などの接着手段に接着されたサンゴ粒状物／粉末、より構成されることを特徴としたサンゴによるマイナスイオン発生の靴の厚紙から成る使い捨て中敷き。
【請求項２】
柔軟性のある靴の厚紙製中敷き本体、該柔軟性のある靴の厚紙製中敷き本体の一面全体に使用された接着剤などの接着手段、該接着剤などの接着手段に接着されたサンゴ粒状物／粉末、該サンゴ粒状物／粉末を覆うものであって且つ上記の靴の厚紙製中敷き本体と対称の形状をなした柔軟性のある靴の厚紙製中敷きカバー、より構成されることを特徴としたサンゴによるマイナスイオン発生の靴の厚紙から成る使い捨て中敷き。
【請求項３】
接着手段が、両面テープであることを特徴とした請求項１または２に記載のサンゴによるマイナスイオン発生の靴の厚紙から成る使い捨て中敷き。
【発明の詳細な説明】
【０００１】
【発明の属する技術分野】
本発明は、広くは靴の中敷きに関するものであり、特に紙の中敷きに関するものである。就中、サンゴによるマイナスイオン発生の靴の中敷きに関するものである。
【０００２】
【従来の技術】
従来、靴を履くと靴の中がむれて足が臭くなる。それで、その悪臭防止用のための靴の中敷きが使用された。さらには、足むれを防止する為に、足の裏が靴の内底部に密着しないようにサラン製等の網状のものが作られた。また、悪臭のもととなる足から発生する湿気を吸収するように、柔軟性のある厚紙（含む薄い段ボール）製のものも作られた。また、以上の中敷きに、マイナスイオンを発生させる中敷きも作られている。
【０００３】
【発明が解決しようとする課題】
普通の足むれ防止の中敷きは、１枚シートの為に通気性がなくて夏場には脂足になってしまう。一方、網状の中敷きは足の裏がべたつくことはないが、それ自体に吸湿性がないゆえに、期待するほどには足むれ防止には役立たない。それどころか、通常の中敷きと同様に、足の悪臭がその中敷きに移ってしまい、新しい靴に履き替えたときにもその中敷きと共にその悪臭がその新しい靴に移ってしまう。
【０００４】
一方、普通の厚紙や段ボールタイプのものは、その紙が悪臭のもととなる足の裏から出る湿気を吸収する効果はあるが、逆に紙であることの欠点として、その中敷きがその足の裏の脂汗で柔らかくなって折れたりして靴の中でしわくちゃになってしまう。それゆうに、その寿命が極端に短くて、早ければ３〜５回程度、長くても１０回程度の使用で使えなくなる。
【０００５】
また、上記したそれぞれの中敷きにマイナスイオンを発生させる中敷きは、マイナスイオンによる足の疲れ防止には成るが、上記のそれぞれの欠点は解消されていない。
【０００６】
【課題を解決するための手段】
本発明にかかるサンゴによるマイナスイオン発生の靴の厚紙から成る使い捨て中敷きは、以上の課題を解決するために、その中敷きに価格が大変安くて使い捨てが可能で、しかも高い吸湿性がある紙製のものにした。そして、その柔軟性のある靴の厚紙製中敷き本体に接着剤でサンゴの粒状物や粉末を接着させたものとした。このときの、接着剤などの接着手段の性質である基材の補強性をも利用して、その中敷きの寿命を適度に延ばし、そこに悪臭がたまる頃には廃棄できるものとした。
【０００７】
サンゴは自然の状態においてもマイナスイオンを発生させるが、その状態での発生量は非常に微少なものである。しかし、このサンゴを水に接触させ振動等の動きのある機械的な外力を与えるとそのマイナスイオンの発生率が驚くほどに向上することが分かった。それで、本願発明は、この技術を靴の中敷きに応用したものである。
【０００８】
以下に、本発明にかかるサンゴによるマイナスイオン発生の靴の厚紙から成る使い捨て中敷きの具体的な構成を詳細に記載する。最初に、本発明の請求項１に記載した発明の構成を説明する。この発明は、まず、柔軟性のある靴の厚紙製中敷き本体がある。つぎに、接着剤などの接着手段がある。この接着剤などの接着手段は、上記の柔軟性のある靴の厚紙製中敷き本体の一面全体に使用されたものである。そして、サンゴ粒状物／粉末がある。このサンゴ粒状物／粉末は、上記の接着剤などの接着手段に接着されたものである。
【０００９】
つぎに、本発明にかかるサンゴによるマイナスイオン発生の靴の厚紙から成る使い捨て中敷きの請求項２に記載した発明の構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、柔軟性のある靴の厚紙製中敷きカバーの存在である。この柔軟性のある靴の厚紙製中敷きカバーは、上記のサンゴ粒状物／粉末を覆うものであって、且つ上記の靴の厚紙製中敷き本体と対称の形状をなしたものである。
【００１０】
最後に、本発明にかかるサンゴによるマイナスイオン発生の靴の厚紙から成る使い捨て中敷きの請求項３に記載した発明の構成を説明する。この発明は、上記の接着手段に、それぞれフレキシブルで張力のある両面テープを使用したものである。
【００１１】
【発明の実施の形態】
以下に、本発明にかかるサンゴによるマイナスイオン発生の靴の厚紙から成る使い捨て中敷きの一般的な実施の形態を述べる。まず、柔軟性のある靴の厚紙製中敷き本体が足から出る脂汗を吸収して、その悪臭となる足むれを防いでいる。一方、接着剤などの接着手段が上記の柔軟性のある靴の厚紙製中敷き本体の一面全体に塗布され、サンゴ粒状物またはサンゴ粉末をその靴の厚紙製中敷き本体に接着させる。それと同時に、この接着剤などの接着手段は、その靴の厚紙製中敷き本体の補強をもしており、その強度を非常に上げて湿気に弱いその紙製の中敷き本体の折れ曲がり等を防いでいる。
【００１２】
【実施例】
しかして、本発明にかかるサンゴによるマイナスイオン発生の靴の厚紙から成る使い捨て中敷きをその具体的な実施例を用いて添付の図面と共に詳細に述べる。この発明は、図１のＡに示す側面の部分拡大断面図と図２のその全体を示す平面図のごとくに、まず、柔軟性のある厚紙製の靴の中敷き本体１がある。この実施例では、この厚紙製の靴の中敷き本体１は、非常に微細な波形のものからなり、厚さは段ボールとしては非常に薄いものであり、クッキーを入れる菓子箱の中に使用する段ボール（状）製の保護材のようなものである。併し、このものは、体重を掛けて激しく踏んでも潰れないほどの強度がある段ボール製のものから成っている。
【００１３】
つぎに、接着剤などの接着手段２がある。この接着剤などの接着手段２は、上記の柔軟性のある靴の厚紙製中敷き本体１に使用されたものである。そして、サンゴ粒状物３がある。このサンゴ粒状物３は、上記の接着剤などの接着手段２に接着されたものである。なお、このサンゴ粒状物３に代えて、サンゴ粉末を使用してもよい。しかして、この接着手段２は、そのサンゴ粒状物をその厚紙製中敷き本体１に接着させるのみでなく、その厚紙製中敷き本体１の補強をもしているものである。
【００１４】
その観点からも、本実施例では、この接着手段として、市販の両面テープを用いた。それにより、接着剤の塗布よりもその製造工程の簡素化と同時に、その厚紙製中敷き本体１の補強を格段に高めた。すなわち、両面テープは、その両面に接するものを接着すると言う性質と同時に、その両面テープのテープ材がフレキシブルなものであることばかりでなくて、その張力が非常に高いと言う性質がある。したがって、この両面テープにその全面が張られた厚紙製中敷き本体１は、その強度が大変に補強されたものとなり、足の裏の脂汗に強く対抗できるものとなる。
【００１５】
しかして、以上のほかに、図３のごときの柔軟性のある靴の厚紙製中敷きカバー４を用いてもよい。この柔軟性のある靴の厚紙製中敷きカバー４は、上記のサンゴ粒状物／粉末３を覆うものであって、且つ上記の靴の厚紙製中敷き本体１と対称の形状をなしたものである。なお、図１のＢに示す側面の部分拡大断面図のごとくに、この靴の中敷きカバー４を上記の靴の中敷き本体１と一体になるように接着すれば、その両面を自由にひっくり返して使用可能となり相乗効果が発揮できる。
【００１６】
そして、本願実施例では、上記の靴の中敷き本体１と上記の靴の中敷きカバー４の表面には、図３に示すごとくにその全面にわたって微細な波形状の凹凸４ａがそれぞれに設けてある。これによって、その中敷きへの足の滑りを防止して、その履き心地をあげている。
【００１７】
【発明の効果】
本発明にかかるサンゴによるマイナスイオン発生の靴の厚紙から成る使い捨て中敷きは、以上のごとくになしたゆえに、上記の課題を解決して以下のごとき多大な効果が生じた。すなわち、その靴の中敷きの中のサンゴが、その紙製の中敷きに吸収された湿気であり、足から出た汗という水分に接触し、そのサンゴの量は少ないが歩行により強く踏まれるゆえに、多くのマイナスイオンの発生がなされるものとなった。それで、そのマイナスイオンが、本願発明の中敷きの入った靴を履いているときに、その足の筋肉の緊張をほぐして、足の疲労回復に役立つものとなった。
【００１８】
一方、これと同時に、その中敷きを使い捨てタイプの紙製のものとして悪臭に汚濁される以前にその中敷きを廃棄できるものとした。そして、サンゴ接着用の接着剤などの接着手段が、その靴の厚紙製中敷き本体の補強をもするゆえに、この中敷きが紙製にもかかわらず、その中敷きの強度が非常に上がり、本来ならば足から出る脂汗の湿気に弱いその紙製の中敷き本体の折れ曲がり等を防いぐものとなった。特に、この接着手段を両面テープにした場合は、この効果が格段に上昇する。
【図面の簡単な説明】
【図１】本発明にかかるサンゴによるマイナスイオン発生の靴の厚紙から成る使い捨て中敷きの一実施例の側面の部分拡大断面図を示したもので、そのＡは厚紙製使い捨て中敷き本体側部分のみのものであり、そのＢはその厚紙製使い捨て中敷きカバーをも使用した場合のものである。
【図２】本発明のサンゴによるマイナスイオン発生の靴の厚紙から成る使い捨て中敷きの一実施例の平面図を示したものである。
【図３】図２に用いる靴の厚紙製中敷きカバーの一実施例の平面図である。
【符号の説明】
１　　厚紙製中敷き本体
２　　接着手段
３　　サンゴ粒状物／粉末
４　　厚紙製中敷きカバー
４ａ　凹凸
【図１】
2004121465.tif 000003
【図２】
2004121465.tif 000004
【図３】
2004121465.tif 000005